(57)【特許請求の範囲】
【請求項１】
建物の引き戸設置箇所の上部に設けたガイドレールに沿って走行自在な吊り車の中央で垂設される吊下げ軸で、引き戸本体の頂部に取着された取付ユニットに繋いで吊下げ支持し、引き戸を走行させる引き戸の吊下げ走行装置であって、
引き戸側の前記取付ユニットに連結する吊下げ軸と、この吊下げ軸のヘッド部を支持する連結ブロックと、
ローラが所定間隔で前後に２個配されて中間部で外側へ膨出する形状に屈曲形成された左右一対の支持部片を、独立して中央位置の膨出部で前記連結ブロックを両側から挟み込み枢支軸にて連結形成される吊り車と、からなり、
前記吊下げ軸は、下端部を前記引き戸本体の頂部に取着の取付ユニット内部で調節機構により上下調節可能に繋がれ、上端ヘッド部の周面が半球面状に形成されて、そのヘッド部周面を前記枢支軸の下側位置で前記連結ブロックの内下部の半球面状の受け座に当接して前後左右に首振り自在に連結支持されていることを特徴とする引き戸の吊下げ走行装置。
【請求項２】
前記連結ブロックは、その中心に上下方向に貫通する吊下げ軸支持孔が設けられ、この吊下げ軸支持孔の内下部には前記吊下げ軸のヘッド部周面を受け止める半球面状の受け座が形成され、かつ前記受け座の上方位置で前記吊下げ軸支持孔の軸線に直交して横向きに枢支軸ピン孔が貫通して設けられている請求項１に記載の引き戸の吊下げ走行装置。
【請求項３】
前記連結ブロックは、一体型構造にしてその両側面で枢支するローラ支持部片の並行度を維持する案内面を形成するようにされている請求項１または２に記載の引き戸の吊下げ走行装置。
【請求項４】
前記連結ブロックは、前記ローラ支持部片の並行度を維持して案内する機能を備えた板曲げ構造のホルダーと、前記吊下げ軸支持孔内に半球面状の受け座を備え前記ホルダーの内側に嵌め込まれて保持される吊下げ軸支持部材とで構成され、そのホルダーと吊下げ軸支持部材とをともに横向きに貫通する枢支軸ピン孔を設けている構造である請求項１または２に記載の引き戸の吊下げ走行装置。
【発明の詳細な説明】
【技術分野】
【０００１】
本発明は、引き戸装置におけるドア本体の上部に付設されて上框に沿って設けられたガイドレールに沿い引き戸を軽快走行自在に支持案内できるように構成される引き戸の吊下げ走行装置に関するものである。
【背景技術】
【０００２】
建物の出入口などに設けられる引き戸装置は、主に建物内の上部に配設されたガイドレールに吊下げられて走行する吊り車と上部を連結された縦軸の連結桿下端部を、ドア本体の頂部に付設の取付金具に繋いでドア本体が吊下げられるようにされている。このようにされる吊り車と取付金具および両者を繋ぐ連結桿とによる引き戸の吊下げ手段は、主に引き戸（ドア）の吊下げ高さを調整するためにねじ機構による上下調節装置を備えている。そして、前記吊り車としては、一般に走行方向の前後に所要間隔で２個ずつ４個のローラが配されたベース部材の中央にて、前記連結桿が垂下連結するように形成されている。ドア本体は、このような吊り車から垂下する連結桿の下端部を、そのドア本体の頂部に取付けられた取付金具に接続されて吊下げられ、ガイドレールに沿って吊り車が走行することにより引き戸（ドア）が開閉されるようになっている。
【０００３】
一般的に建築物に設けられている引き戸を備える出入口は、その開口部を囲うようにして建物に取付く三方枠が、構造上どうしても正確に仕上げられておらず、特に既存の建物に対して引き戸装置の設置部のみを正しい状態に修正して取り付けることは、微妙な修正を建物への取付け箇所に施すことになり、多くの手数を要することになる。また、使用されている部材にねじれなどが生じていることもある。そのために、従来技術によって引き戸を設置すると、前記傾きがある場合、引き戸の吊下げ支持装置に傾き相当分の負荷が変則的に発生し、そのために引き戸を開閉する際に過負荷になることが避けられない。言換えると、引き戸の開閉が重くなるという問題点がある。そこで、このような出入口に設けられる引き戸は、既設の建物側の状態に合わせてガイドレールを取付け、このガイドレールに沿って引き戸が稼動できるように調整して取付けられている。したがって、従来の引き戸装置におけるドアの吊下げ支持装置は、前述のような構成によるために、ガイドレールが正確にかつ水平状態で配設されていないので、吊り車がガイドレール上を走行する際、４つのローラが常時ガイドレール上に当接しているとは限らず、ガイドレールの水平度がよくないと４個のローラのいずれかが浮いた状態となって他のローラに偏荷重を受けることから走行が円滑に行えない。言換えると走行のために過剰な推進力（動力）を必要とする。そこで、例えば引き戸の扉本体下部にて上下動可能にガイドローラを取付けて上下方向の開口誤差に対応させるとともに吊り車による吊下げ高さを連結桿に設けたネジ部分で上下方向の調節ができるようにされている（特許文献１参照）。
【０００４】
しかしながら、前記高さ調節機構を引き戸の吊下げ部に設けるようにしても、これだけでは建物の開口部上框に沿って付設されているガイドレールのレベルが正確さに欠ける限り、引き戸の開閉動作については円滑な走行が満足できない。
【０００５】
そこで、前述のような現象を改善して水平度やねじれのあるガイドレールに対してすべてのローラが当接し、偏荷重とならないようにする吊り車を用いた引き戸の吊下げ支持装置が特許文献２によって提案されている。しかし、この引き戸の吊下げ支持装置においては、ガイドレールの走行方向（前後方向）での各ローラの変位については問題ないが、ガイドレールに対して幅方向（左右方向）でのガイドレールの傾きに対応させる吊り車の枢支軸心がローラ軸心よりも下側位置に設けられるので、吊り車全体として上下方向に寸法が長く（高く）なる。そのために、引き戸本体の頂部とガイドレールの下面との間に形成される空隙寸法が広くなり、屋外と室内との遮断効果が低下して不都合であるという問題点がある。特に、大型の扉が使用される建物では隙間が大きいと空調などの効率が低下するのでその改善が要求されている。
【先行技術文献】
【特許文献】
【０００６】
【特許文献１】特許第２８８０６５３号公報
【特許文献２】特開２００８−１１５５６８号公報
【発明の開示】
【発明が解決しようとする課題】
【０００７】
本発明は、前述のような問題点を解決するためになされたものであり、構造を複雑にすることなく、設置状態にかかわらず引き戸本体と吊り車との関係を自動調整できて、吊り車に過度な負荷を与えることなく円滑に走行ができる構成の引き戸の吊下げ走行装置を提供することを目的とするものである。
【課題を解決するための手段】
【０００８】
前記目的を達成するために、本発明の引き戸の吊下げ走行装置は、
建物の引き戸設置箇所の上部に設けたガイドレールに沿って走行自在な吊り車の中央で垂設される吊下げ軸で、引き戸本体の頂部に取着された取付ユニットに繋いで吊下げ支持し、引き戸を走行させる引き戸の吊下げ走行装置であって、
引き戸側の前記取付ユニットに連結する吊下げ軸と、この吊下げ軸のヘッド部を支持する連結ブロックと、
ローラが所定間隔で前後に２個配されて中間部で外側へ膨出する形状に屈曲形成された左右一対の支持部片を、独立して中央位置の膨出部で前記連結ブロックを両側から挟み込み枢支軸にて連結形成される吊り車と、からなり、
前記吊下げ軸は、下端部を前記引き戸本体の頂部に取着の取付ユニット内部で調節機構により上下調節可能に繋がれ、上端ヘッド部の周面が半球面状に形成されて、そのヘッド部周面を前記枢支軸の下側位置で前記連結ブロックの内下部の半球面状の受け座に当接して前後左右に首振り自在に連結支持されていることを特徴とするものである（第１発明）。
【００１０】
前記発明において、前記連結ブロックは、その中心に上下方向に貫通する吊下げ軸支持孔が設けられ、この吊下げ軸支持孔の内下部には前記吊下げ軸のヘッド部周面を受け止める半球面状の受け座が形成され、かつ前記受け座の上方位置で前記吊下げ軸支持孔の軸線に直交して横向きに枢支軸ピン孔が貫通して設けられているのがよい（第２発明）。
【００１１】
また、前記発明において、前記連結ブロックは、一体型構造にしてその両側面で枢支するローラ支持部片の並行度を維持する案内面を形成するようにされているのがよい（第３発明）。また、前記第１発明または第２発明による前記連結ブロックは、前記ローラ支持部片の並行度を維持して案内する機能を備えた板曲げ構造のホルダーと、前記吊下げ軸支持孔内に半球面状の受け座を備え前記ホルダーの内側に嵌め込まれて保持される吊下げ軸支持部材とで構成され、そのホルダーと吊下げ軸支持部材とをともに横向きに貫通する枢支軸ピン孔を設けている構造であるのが好ましい（第４発明）。
【発明の効果】
【００１２】
本発明によれば、吊り車の各ローラが連結部片に対して両側部で各々前後に搖動可能に取付けられた支持部片に支持されているから、ガイドレールの状況に応じて自在に変位してそれらローラが、常に全数でガイドレールの案内面に当接して走行できる。このようにされた吊り車に対して吊下げ軸にて繋いで吊下げ支持される引き戸本体付設の取付具では、吊下げ軸と連結される連結部片が走行方向と交差する向きに回動自在に付されているので、ガイドレールを備える上部支持構造部材の中心軸線を通る走行垂直面と引き戸の中心軸線を通る走行垂直面とが一致せずずれがあっても、吊り車と取付具とを繋ぐ吊下げ軸が取付具側の連結部片の回動変位によって傾いて連結を維持する、あるいは引き戸本体が少し傾いた状態で吊下げ軸に吊り荷重が作用する状態で支持される。したがって、取付具側の連結部片の回動変位で吊り車側との連結を維持して、吊り車に作用する負荷で各ローラがガイドレールから浮き上がることなく転動して走行でき、変則状態であっても吊り車に大きな負荷を与えずに引き戸の開閉を円滑に行わせることができるという効果を奏する。
【図面の簡単な説明】
【００１３】
【図１】図１は本発明に係る引き戸の吊下げ走行装置を備えた引き戸の全体図。
【図２】図２は引き戸の吊下げ走行装置の一実施形態を示す正面図（ａ）と平面図（ｂ）と底面図（ｃ）および右側面図（ｄ）。
【図３】図３は図２におけるＡ−Ａ視断面図（ａ）とＢ−Ｂ視断面図（ｂ）およびＣ−Ｃ視断面図。
【図４】図４は引き戸の頂部に取付けられた取付ユニットと吊下げ走行装置との連結態様を表わす図（ａ）と建物の出入口に対する引き戸の関係を表わす図（ｂ）。
【図５】図５は本吊下げ走行装置の作動の態様を表わす図が、正常な状態図（ａ）とガイドレール側が幅方向に傾斜している一態様図（ｂ）。
【図６】図６は吊下げ走行装置の要部が引き戸の傾きに対応する状態を表わす幅方向の変位対応図（ａ）とガイドレールの走行方向変位対応図（ｂ）。
【図７】図７は本発明に係る引き戸の吊下げ走行装置の第２実施形態を示す平面図（ａ）と正面図（ｂ）と底面図（ｃ）および右側面図（ｄ）。
【図８】図８は図７で示す吊下げ走行装置を分解して表わす図。
【図９】図９は図７におけるＤ−Ｄ視断面図（ａ）およびＥ―Ｅ視断面図（ｂ）。
【発明を実施するための形態】
【００１４】
次に本発明による引き戸の吊下げ走行装置の具体的な実施の形態について、図面を参照しつつ説明する。なお、第１実施形態は通常の引き戸に採用されたものである。
【００１５】
（第１実施形態）
この実施形態の引き戸の吊下げ走行装置１０は、図１に示されるように、建物の出入口上部に付設された上部支持構造部材２（上框）の側面に沿って取付けられるガイドレール３に案内される引き戸６の上側に少なくとも二個所で設けられ、実質的に引き戸の吊り車として機能するものである。
【００１６】
前記吊下げ走行装置１０は、前記ガイドレール３に沿って移動自在な吊り車１１と、この吊り車１１の中央から垂設されて建物Ａの出入口Ａ１を開閉する引き戸６の頂部６ａに取付く取付ユニットと連結する吊下げ軸２０およびこの吊下げ軸２０を支持する連結ブロック１５とで構成されている。なお、以下の説明では、説明の都合上ガイドレール３に沿って走行する方向を「前後方向」に、ガイドレール３の走行方向に対して交叉する方向を「幅方向（左右方向ともいう）」と称する。
【００１７】
前記吊り車１１は、前記連結ブロック１５を中央部に配してこの連結ブロック１５の幅方向に、両側で平行して一対の支持部片１２，１２が中央部で前記連結ブロック１５に枢支されて配置され、この両支持部片１２，１２の前後方向で所要の間隔にてローラ１３が回転自在に軸支されている。
【００１８】
前記両支持部片１２，１２は、図２（ｂ）で示されるように、所要寸法の金属板材製で、中央部分１２ａが外向きに膨出して前後位置では内向きに屈曲してローラ受入れ部１２ｂ、１２ｂが設けられ、両長手端部１２ｃが相手方の端部１２ｃと互いに突合わせるごとく内向きに直交屈曲した形状にされており、こうした両支持部片１２，１２左右一対が対称形に形成されている。
【００１９】
また、このような支持部片１２，１２に対してローラ１３は、その支持部片１２の枢支位置（後述）から所要距離離れて、ローラ受入れ部１２ｂ、１２ｂで軸ピン１４により回転自在に取付けられており、左右の支持部片１２，１２に取付くローラ１３が前後において平行状態に設けられている。なお、前記左右の支持部片１２，１２に取付く各ローラ１３は、前記ガイドレール３のガイド溝３ａ，３ａに沿って案内される間隔寸法に合致するようにして支持されている。また、前記ローラ１３を支持する軸ピン１４は、図３（ａ）に示されるように、基端部１４ａを支持部片１２のローラ受入れ部１２ｂに穿設の取付孔にて背面側で嵌着され、外方に突出された部分でローラ１３を軸支持し、軸ピン１４先端１４ｃをローラ１３内部に組込まれているベアリング１３ｂの内輪端部にカシメ止めされて一体的に取付けられている。図中符号１４ｄはスペーサを兼ねた座金である。
【００２０】
また、前記連結ブロック１５は、所要寸法で厚肉の方形に形成された本体部１５ａの両幅方向に円形のボス部１５ｂ，１５ｂが突設する形状に金属または樹脂で成形され、図３（ａ）〜（ｃ）で示されるように、中心で上下方向に貫通する吊下げ軸支持孔１６が設けられ、この吊下げ軸支持孔１６の内下部には吊下げ軸２０のヘッド部周面を受け止める半球面状の受座１６ａが形成されている。また、中央には前記吊下げ軸支持孔１６の軸線に直交して幅方向へ横向に枢支軸ピン孔１６ｃが貫通して設けられている。なお、前記吊下げ軸支持孔１６は、下端部１６ｂが横方向に長軸となる楕円形に形成されている。
【００２１】
一方、前記吊下げ軸２０は、図３（ｂ）（ｃ）で示されるように、所要長さ寸法で上端ヘッド部２１の周面２２が半球面状に形成されて軸部２０ａに繋がり、前記ヘッド部２１の上面２３（端面）が軸心を中心とする広角の偏平な円錐状に構成されている。そしてこの吊下げ軸２０の下端部には引き戸側に取付く取付ユニット内に設けられて上下方向に寸法調整する引き戸高さ調整機構と繋がるネジ部２４が形成されている。なお、この吊下げ軸２０は、組立状態において、ヘッド部２１の頂面２３が枢支軸17によって抜け出しを阻止されるから、取外し時に分離することはない。また、前記吊下げ軸２０の頂面２３は偏平な円錐形に形成されているので引き戸６の吊下げ支持時に首振り動作をしても枢支軸17と接触せず首振り挙動を妨げられることはない。
【００２２】
このように形成される吊り車１１と吊下げ軸２０とは、図４にて示されるように、その吊下げ軸２０を引き戸の頂部６ａ端に埋め込まれて取付けられている箱形構造の取付ユニット３０（内部に引き戸高さ方向調整機構３３が組込まれている。）の上部に設けられた開口部３１から挿入し、吊下げ軸２０下部のネジ部２４を引き戸高さ調整機構３３の歯車３３ａの雌ネジ部に螺合させて連結する。なお、引き戸の頂部６ａには前後両端部で取付ユニット３０が付設されているので、前記吊下げ走行装置１０が２個配設される。
【００２３】
このようにして引き戸６に取付けられた本実施形態の引き戸の吊下げ支持装置１０は、図１および図４に示されるように、建物出入口Ａ１のフロント部材に沿わせて取付けられた上部支持構造部材２に沿って取付金具４を介してその下面に付設されたガイドレール３のガイド溝（案内面）３ａ，３ａ上に吊り車１１が配置される。一方、図５に示されるように、引き戸６には、下部をフロア５上に設けられた下部レール７に案内され、その頂部６ａの長手方向両端部に取付ユニット３０が埋設されており、この取付ユニット３０と前記吊り車１１に連結ブロック１５を介して取付く吊下げ軸２０の下端ネジ部２４を、前述のように取付ユニット３０の引き戸高さ方向調整機構３３に螺合接続し、この吊下げ軸２０を介して吊り車１１によって吊り下げられてガイドレール３に沿い案内走行できるようにされる。
【００２４】
こうして建物側に取付くガイドレール３に案内支持される吊り車１１により吊下げ軸２０を介して吊下げ支持される引き戸は、例えばその吊り車１１が走行するガイドレール３，３の案内面３ａが建物に対する上部支持構造部材２の取付け状態の都合で、水平状態に揃っていない場合、図５（ｂ）および図６（ａ）に示されるように、自重によって鉛直に配置された引き戸６の頂部６ａにおける取付ユニット３０の軸心線Ｃとガイドレール３の軸心線Ｐとにずれが生じる。しかしながら、吊り車１１と取付ユニット３０とを繋ぐ吊下げ軸２０は、吊り車１１に組込まれている連結ブロック１５の吊下げ軸支持孔１６の受け座１６ａに対してヘッド部２１の半球面状にされた周面２２が当接受支されているので、引き戸６の重量を支持したままで連結ブロック１５側の受け座１６ａにてその周面２２が自在に摺動し、引き戸６の姿勢を垂直に保って移動することができる。
【００２５】
また、吊り車１１は、その中央に位置する連結ブロック１５に前後ローラ１３，１３を支持する支持部片１２の中央を枢支軸17により支持されているので、ガイドレール３が建物側の都合で例えば長手方向に水平状態を保てず傾斜した状態で取付けられている場合てあっても、前記連結ブロック１５により吊下げ支持される吊下げ軸２０が引き戸６の荷重によって垂下してガイドレール３の案内されるローラ１３，１３を案内溝３ａに正常に接触させて安定状態で走行させることができる。
【００２６】
そして、この吊り車１１の走行に際し、連結ブロック１５と支持部片１２との関係が枢支軸１７を基点とする前後揺動によって吊下げ荷重方向に垂直力を維持すると同時に、ガイドレール３の両側の案内溝３ａ，３ａに仮に幅方向のねじれが生じていても、吊り車１１を構成する左右両側の支持部片１２，１２が独立して枢支軸１７で中央を枢支されているから左右両方のローラ１３，１３が別個に付加を受けて吊り車１１が走行し引き戸６の移動を円滑に行わせることができる。しかも、前述のように、吊下げ軸２０はヘッド部２１を連結ブロック１５の吊下げ支持軸孔１６内で首振り自在に支持されているので、吊り車１１の中心を通る垂線上にあり、吊下げられている引き戸がガイドレール３の案内溝３ａ，３ａに対して不平行な姿勢になっていても吊り車１１に変則的な負荷が作用せず、安定した走行が実現できるのである。もちろん、吊り車１１における４個のローラ１３は、仮に図６（ｂ）で示されるように１個がガイドレールの案内溝３ａから浮き上がっても、少なくとも２個は必ず接触（接地）して支障を来すことはない。
【００２７】
また、この吊り車１１は、吊下げ軸２０を連結ブロック１５より上側にはみだすことなく支持できるようにして高さ方向にコンパクトにまとめた構成とすることができるので、図５に示されるようにガイドレール３を嵩低く形成して上部支持構造部材２に付設できる。したがって、このガイドレール３と吊り車１１との関係をコンパクトにして仮に建物側に取付くガイドレール３の姿勢が床面５に対して平行状態を保てなくとも、垂直度を保持する引き戸６の頂面とガイドレール３の下面との間に傾斜によるギャップθ（図５（ｂ）参照）が生じてもこれを建物開口部Ａ１より上側に納めるようにすることが可能で、引き戸６を閉じた場合でも外部からの風の吹込みを回避することができる。
【００２８】
さらに、前記吊り車１１は、その両支持部片１２，１２の長手方向の両端部がそれぞれ内向きに相対向するように屈曲形成され、左右のローラ１３外径位置よりもやや長くされているので、引き戸６の開閉に際してガイドレール３に沿って勢いよく走行させた場合、図４（ａ）に示されるように、ガイドレール３の端部にゴム質材料にてなるストッパ３５を取付けておくと、走行してきた吊り車１１の端部１２ｃがそのストッパ３５に当接して移動を阻止される。したがって、急いで引き戸６を閉めた場合でも吊り車１１がガイドレール３から離脱することなく安全に引き戸を閉じることができる。また、吊り車１１を損傷させることなく保護できる。当然、ガイドレール３の両端部に前記ストッパ３５を取付けておくのが好ましい。
【００２９】
（第２実施形態）
この実施形態の引き戸の吊下げ支持装置１０Ａは、前記実施形態のものと基本構成においてほぼ同様で、支持部片１２，１２を中央部で枢支連結する連結ブロックの構成において一部を異にするものである。したがって、構成の異なる部分に重点をおいて説明する。なお、前記第１実施形態のものと同一もしくは同様の構成部分については、前述のものと同一の符号を付して詳細な説明を省略するものとする。
【００３０】
この引き戸の吊下げ支持装置１０Ａは、図７〜図９に示されるように、左右両支持部片１２，１２の中央部を枢支軸１７で繋ぐ連結ブロック１５Ａが、金属板をプレス成形してなるホルダー１８と、このホルダー１８内に収容されて吊下げ軸２０をヘッド部２１で首振り自在に支持する支持部材１９（支持コマ）との組合わせて構成されている。なお、前記支持部材１９（支持コマ）には、前記第１実施形態の連結ブロック１５と同様、上下方向に吊下げ軸支持孔１６が形成されて内部に半球面状の受け座１６ａが設けられている。また、前記ホルダー１８には底面部に支持コマ１９の一部が挿通される孔１８ａを形成して安定性が得られるようにされ、両側面部１８ｂに枢支軸１７の挿通孔１８ｃが設けられている。そして、支持コマ１９は、前記ホルダー１８の内部に嵌め込まれると下半部１９ａがホルダー１８の底部の孔１８ａに嵌入されるとともに、両側板部１８ｂ，１８ｂで外側を保持され、定位置に固定されるようになっている。もちろん、枢支軸１７の挿通孔１９ｂがホルダー１８のものと合致して枢支軸１７が貫通するようにされている。
【００３１】
このように構成される連結ブロック１５Ａでは、図８にて示されるように、外形寸法が一体形成されている前記連結ブロック１５と同様寸法に外側部を金属板で屈曲形成されたホルダー１８で、枢支軸１７に作用する外力と支持コマ１９に作用する吊下げ支持力とを保持するようにし、構造上精度が要求される支持コマ１９については、例えばメタル成形品（金属粉末射出成形品）もしくはロストワックス成形品など金属製の成形部品を採用する。こうすることで、精度を高めて製作を容易にし、負荷が大きく作用する要部を頑丈なものにしてコストダウンを図ることができる。
【００３２】
この連結ブロック１５Ａは、吊下げ軸支持孔１６に吊下げ軸２０のヘッド部２１を受入れて垂下させた後、ローラ１３を備えた両支持部片１２，１２の内側に配して枢支軸１７で相互に連結することにより吊り車１１が組み立てられる。そして、このような構造の連結ブロック１５Ａを組込んだ吊り車１１としての機能は、前記第１実施形態のものと同様の機能を発揮することができる。
【符号の説明】
【００３３】
２      上部支持構造部材
３      ガイドレール
３ａ    ローラ案内溝
６      引き戸
６ａ    引き戸の頂部
１０    引き戸の吊下げ支持装置
１１    吊り車
１２    支持部片
１３    ローラ
１５，１５Ａ    連結ブロック
１６    吊下げ軸支持孔
１６ａ    受け座
１７    枢支軸
１８    連結ブロックのホルダー
１９    連結ブロックの支持部材（支持コマ）
２０    吊下げ軸
２１    ヘッド部
２２    ヘッド部の周面
３０    取付ユニット
【図１】
0005520628.tif 000002
【図２】
0005520628.tif 000003
【図３】
0005520628.tif 000004
【図４】
0005520628.tif 000005
【図５】
0005520628.tif 000006
【図６】
0005520628.tif 000007
【図７】
0005520628.tif 000008
【図８】
0005520628.tif 000009
【図９】
0005520628.tif 000010